(57)【特許請求の範囲】
【請求項１】
ジャカード装置の通糸により互いに逆方向へ往復動する一対の耳糸用綜絖と、これら往復動する一対の耳糸用綜絖によって交互に連行されて往復動する半綜絖とからなるからみ耳形成機構を備え、前記半綜絖の往復動によって一対の耳糸にからみ耳形成動作を行わせるからみ耳形成装置において、
隣接する複数のからみ耳形成機構の第１の耳糸用綜絖同士の往復経路を安定させる第１の経路安定手段と、
隣接する複数のからみ耳形成機構の第２の耳糸用綜絖同士の往復経路を安定させる第２の経路安定手段とを備えた織機におけるからみ耳形成装置。
【請求項２】
前記第１の経路安定手段は、隣合う第１の耳糸用綜絖の一端間を結合する経路安定体であり、前記第２の経路安定手段は、隣合う第２の耳糸用綜絖の一端間を結合する経路安定体である請求項１に記載の織機におけるからみ耳形成装置。
【請求項３】
前記第１の経路安定体と前記第２の経路安定体とは互いにスライド可能に連結している請求項２に記載の織機におけるからみ耳形成装置。
【請求項４】
前記第１の経路安定手段及び第２の経路安定手段は、各耳糸用綜絖をスライド案内する補助目板である請求項１に記載の織機におけるからみ耳形成装置。
【発明の詳細な説明】
【０００１】
【発明の属する技術分野】
本発明は、ジャカード装置の通糸により互いに逆方向へ往復動する前後一対の耳糸用綜絖と、これら往復動する一対の耳糸用綜絖によって交互に連行されて往復動する半綜絖とからなるからみ形成機構を備え、この半綜絖の往復動によって一対の耳糸にからみ耳形成動作を行わせるからみ耳形成装置に関するものである。
【０００２】
【従来の技術】
この種のからみ耳形成装置が特開平２−１９５３７号公報に開示されている。半綜絖は磁性体製であって２股形状をしている。前後一対の綜絖の下部側にはスリットが形成されており、半綜絖が各綜絖のスリットに挿入されている。各綜絖の下端部には一対の磁石が前記スリットの下端部を挟んで対向配置されており、半綜絖の２股の足の下端のいずれかが前記磁石に吸着保持されるようになっている。前後の綜絖の上下高さが同じである場合には、半綜絖の２股の足の下端がいずれも磁石に吸着する位置にあり、この状態から一方の綜絖を上昇すれば、この綜絖のスリットの下端が半綜絖の足の下端に当接して半綜絖を連行する。次いで、同じ綜絖を下降すればこの綜絖側の磁石に吸着されている半綜絖も下降する。このような構成のからみ耳形成装置の利点は軽量化できることである。
【０００３】
【発明が解決しようとする課題】
このようなからみ耳形成装置を綜絖枠に取り付けて使用する場合には問題はない。しかし、通糸によって綜絖を吊り下げると共に、ばねによって綜絖を下方へ付勢するようにしてジャカード織機で使用する場合には、半綜絖が前後の綜絖から外れ易い。半綜絖は磁石の磁力のみによって前後の綜絖に吸着しているだけであり、前後の綜絖の高速の上下動に伴う綜絖の振動が半綜絖を綜絖からはずれさせる。
【０００４】
本発明は、半綜絖が綜絖から外れ難いからみ耳形成装置を提供することを目的とする。
【０００５】
【課題を解決するための手段】
そのために本発明は、ジャカード装置の通糸により互いに逆方向へ往復動する一対の耳糸用綜絖と、これら往復動する一対の耳糸用綜絖によって交互に連行されて往復動する半綜絖とからなるからみ耳形成機構を備え、前記半綜絖の往復動によって一対の耳糸にからみ耳形成動作を行わせるからみ耳形成装置を対象とし、請求項１の発明では、隣接する複数のからみ耳形成機構の第１の耳糸用綜絖同士の往復経路を安定させる第１の経路安定手段と、隣接する複数のからみ耳形成機構の第２の耳糸用綜絖同士の往復経路を安定させる第２の経路安定手段とを備えたからみ耳形成装置を構成した。
【０００６】
隣接する複数のからみ耳形成機構の第１の耳糸用綜絖は第１の経路安定手段によって往復経路を安定させられる。隣接する複数のからみ耳形成機構の第２の耳糸用綜絖は第２の経路安定手段によって往復経路を安定させられる。往復経路の安定は耳糸用綜絖からの半綜絖の外れを防止する。
【０００７】
請求項２の発明では、隣合う第１の耳糸用綜絖の一端間を結合する経路安定体を前記第１の経路安定手段として採用し、隣合う第２の耳糸用綜絖の一端間を結合する経路安定体を前記第２の経路安定手段として採用した。
【０００８】
経路安定体が隣合う耳糸用綜絖の一端を結合しており、隣合う一対の耳糸用綜絖及び経路安定体が四角形の３辺からなるコ字状の枠形状を形成する。このような枠形状は耳糸用綜絖の往復経路を安定させる。
【０００９】
請求項３の発明では、前記第１の経路安定体と前記第２の経路安定体とを互いにスライド可能に連結した。
第１の経路安定体と第２の経路安定体とのスライド連結構成は、各耳糸用綜絖の往復経路の安定化に寄与する。
【００１０】
請求項４の発明では、各耳糸用綜絖をスライド案内する補助目板を前記第１の経路安定手段及び第２の経路安定手段として採用した。
補助目板は各耳糸用綜絖の往復経路をそれぞれ安定させる。
【００１１】
【発明の実施の形態】
以下、本発明を具体化した第１の実施の形態を図１〜図５に基づいて説明する。
【００１２】
図１に示すように、経糸切断検出用のドロッパ１１を通された経糸Ｔは経糸用綜絖１２に通されている。経糸用綜絖１２は通糸１４によって吊下されていると共に、引っ張りばね１５によって下方へ付勢されている。通糸１４は目板１６を通ってジャカード装置１３に繋がっており、ジャカード装置１３は通糸１４の上下動を制御する。
【００１３】
図２に示すように、経糸切断検出用のドロッパ１１を通された耳糸Ｅ１，Ｅ２は、第１の耳糸用綜絖１７、第２の耳糸用綜絖１８及び半綜絖１９からなるからみ耳形成機構２０に通されている。又、経糸切断検出用のドロッパ１１を通された耳糸Ｅ３，Ｅ４は、第１の耳糸用綜絖２１、第２の耳糸用綜絖２２及び半綜絖２３からなるからみ耳形成機構２４に通されている。耳糸用綜絖１７，１８，２１，２２は非磁性体製であり、２股状の半綜絖１９，２３は磁性体製である。図５に示すように、からみ耳形成機構２０，２４はタオル織布Ｗの織幅方向に隣接しており、一幅分のタオル織布Ｗの隣接端部にはからみ耳形成機構２０，２４によってからみ耳Ｗ１，Ｗ２が形成される。
【００１４】
図１及び図３に示すように、第１の耳糸用綜絖１７，２１の上下の中間部には屈曲部１７１，２１１が形成されている。図３に示すように屈曲部１７１，２１１付近より下部にはスリット１７２，２１２が耳糸用綜絖１７，２１の前縁に沿って形成されている。図１及び図３に示すように、第２の耳糸用綜絖１８，２２の上下の中間部には屈曲部１８１，２２１が形成されている。図２及び図３に示すように屈曲部１８１，２２１付近より下部にはスリット１８２，２２２が耳糸用綜絖１８，２２の後縁に沿って形成されている。２股状の半綜絖１９の足１９１はスリット１７２に挿入されており、足１９２はスリット１８２に挿入されている。２股状の半綜絖２３の足２３１はスリット２１２に挿入されており、足２３２はスリット２２２に挿入されている。半綜絖１９，２３の頂部には糸孔１９３，２３３が形成されている。
【００１５】
スリット１７２，１８２，２１２，２２２の下端部付近には磁石３６が止着されている。半綜絖１９，２３の足１９１，１９２，２３１，２３２の下端がスリット１７２，１８２，２１２，２２２の下端部付近にあるときには、磁石３６が足１９１，１９２，２３１，２３２の下端部を吸着する。
【００１６】
隣合うからみ耳形成機構２０，２４の第１の耳糸用綜絖１７，２１の上端部間には合成樹脂製の第１の経路安定板２５が架け渡されている。同様に、隣合うからみ耳形成機構２０，２４の第２の耳糸用綜絖１８，２２の上端部間には合成樹脂製の第２の経路安定板２６が架け渡されている。各耳糸用綜絖１７，１８，２１，２２の上端部には掛け止め片２７が取り付けられている。図２〜図５に示すように掛け止め片２７は、実線で示す掛け止め位置と、鎖線で示す着脱位置とに回動切換可能である。第１及び第２の経路安定板２５，２６には着脱孔２５１，２６１が透設されており、掛け止め片２７が着脱孔２５１，２６１を通して経路安定板２５，２６に掛け止められている。経路安定板２５，２６には一対の糸孔２５２，２６２が形成されている。第１の耳糸用綜絖１７，２１に経路安定板２５を取り付けた状態では、糸孔２５２，２５２同士は第１の耳糸用綜絖１７，２１の直上にある。同様に、第２の耳糸用綜絖１８，２２に経路安定板２６を取り付けた状態では、糸孔２６２，２６２同士は第２の耳糸用綜絖１８，２２の直上にある。
【００１７】
糸孔２５２，２５２には通糸２８，２９が通されており、第１の耳糸用綜絖１７，２１は経路安定板２５を介して通糸２８，２９によって吊下されている。又、第１の耳糸用綜絖１７，２１は引っ張りばね３０によって下方へ付勢されている。同様に、糸孔２６２，２６２には通糸３２，３３が通されており、第２の耳糸用綜絖１８，２２は経路安定板２６を介して通糸３２，３３によって吊下されている。又、第２の耳糸用綜絖１８，２２は引っ張りばね３１によって下方へ付勢されている。通糸２８，２９，３２，３３は目板１６を通ってジャカード装置１３に繋がっており、ジャカード装置１３は通糸２８，２９，３２，３３の上下動を制御する。通糸２８，２９は同一方向に移動するように制御され、通糸３２，３３は通糸２８，２９とは逆方向に移動するように制御される。
【００１８】
経糸切断検出用のドロッパ１１を通された耳糸Ｅ１は半綜絖１９の糸孔１９３に通されている。経糸切断検出用のドロッパ１１を通された耳糸Ｅ２は、耳糸用綜絖１７，１８との間で半綜絖１９の外周１９４と、耳糸用綜絖１７，１８の対向縁１７３，１８３との間に通されている。経糸切断検出用のドロッパ１１を通された耳糸Ｅ３は半綜絖２３の糸孔２３３に通されている。経糸切断検出用のドロッパ１１を通された耳糸Ｅ４は、耳糸用綜絖２１，２２との間で半綜絖２３の外周と、耳糸用綜絖２１，２２の対向縁との間に通されている。
【００１９】
図２に示すように、第１の耳糸用綜絖１７，２１の高さ位置と第２の耳糸用綜絖１８，２２の高さ位置とが揃っている状態では、耳糸Ｅ１，Ｅ３の張力によって下方へ付勢されている半綜絖１９，２３がスリット１７２，１８２，２１２，２２２の下端に当接する。そして、磁石３６が半綜絖１９，２３の足１９１，１９２，２３１，２３２の下端部を吸着する。
【００２０】
図２の状態から第２の耳糸用綜絖１８，２２が上動すると共に、第１の耳糸用綜絖１７，２１が下動すると、図３に示すように半綜絖１９，２３が第２の耳糸用綜絖１８，２２によって上方へ連行される。図２の状態から第１の耳糸用綜絖１７，２１が上動すると共に、第２の耳糸用綜絖１８，２２が下動すると、図４に示すように半綜絖１９，２３が第１の耳糸用綜絖１７，２１によって上方へ連行される。半綜絖１９，２３を上方へ連行した綜絖が反転して下動すると、磁石３６に吸着された半綜絖１９，２３も下方へ連行される。
【００２１】
半綜絖１９，２３の上下往復動により耳糸Ｅ２，Ｅ４が半綜絖１９，２３の頂部を乗り越えて半綜絖１９，２３の前縁側と後縁側との間を行き来すると共に、耳糸Ｅ１，Ｅ２が上下動し、図５に示すからみ耳Ｗ１，Ｗ２が形成される。
【００２２】
第１の実施の形態では以下の効果が得られる。
（１−１）スリット１７２，１８２に挿入されている半綜絖１９は、磁石３６の磁力のみによって耳糸用綜絖１７，１８に結合しているだけである。同様に、スリット２１２，２２２に挿入されている半綜絖２３は、磁石３６の磁力のみによって耳糸用綜絖２１，２２に結合しているだけである。このような結合構成では、耳糸用綜絖１７，１８，２１，２２が撓んだり、捩じれたりすると、半綜絖１９，２３が耳糸用綜絖１７，１８，２１，２２から外れるおそれがある。経路安定体となる経路安定板２５は、一対の耳糸用綜絖１７，１８と共に四角形の３辺からなる枠形状を形成する。経路安定板２５及び一対の耳糸用綜絖１７，１８によって形成される枠形状は、耳糸用綜絖１７，１８の高速の上下動作に対して耳糸用綜絖１７，１８の撓み、捩じれを防止する。即ち、耳糸用綜絖１７，１８，２１，２２の往復経路が安定し、半綜絖１９，２３が耳糸用綜絖１７，１８，２１，２２から外れるおそれがなくなる。
（１−２）合成樹脂製の経路安定板２５，２６は軽量であり、耳糸用綜絖１７，１８，２１，２２の開口運動速度の高速性が損なわれることはない。
（１−３）経路安定板２５，２６はそれぞれ一対の通糸２８，２９及び通糸３２，３３によって吊下されている。通糸２８，２９の吊下位置は耳糸用綜絖１７，２１の直上であり、通糸３２，３３の吊下位置は耳糸用綜絖１８，２２の直上である。このような吊下位置となる糸孔２５２，２５２から平行状態で目板１６を目孔を通された通糸２８，２９による吊下状態は経路安定板２５の鉛直線周りの回動を防止し、第１のからみ耳形成機構２０全体の捩じれが防止される。同様に、糸孔２６２，２６２から平行状態で目板１６を目孔を通された通糸３２，３３による吊下状態は経路安定板２６の鉛直線周りの回動を防止し、第２のからみ耳形成機構２４全体の捩じれが防止される。
（１−４）半綜絖１９の糸孔１９３に対する耳糸Ｅ１の挿通状態と、半綜絖２３の糸孔２３３に対する耳糸Ｅ３の挿通状態とは、経糸の糸方向の左右に関して面対称の関係にある。又、からみ耳形成機構２０に対する耳糸Ｅ２の挿通状態と、からみ耳形成機構２４に対する耳糸Ｅ４の挿通状態とは、経糸の糸方向の左右に関して面対称の関係にある。このような挿通対称状態では、耳糸Ｅ１の張力がからみ耳形成機構２０を捩じる作用と、耳糸Ｅ２の張力がからみ耳形成機構２４を捩じる作用とは互いに逆方向である。従って、耳糸Ｅ１，Ｅ２と耳糸Ｅ３，Ｅ４との前記挿通対称状態は、からみ耳形成機構２０，２４の捩じれ防止に寄与する。
【００２３】
次に、図６及び図７の第２の実施の形態を説明する。第１の実施の形態と同じ構成部には同じ符号が付してある。
この実施の形態では、通糸２８，３２によって吊下される経路安定板３７，３８が図７に示すように凸条３７１と凹条３８１とを介してスライド可能に嵌合している。経路安定板３７，３８の往復動方向の長さは、経路安定板３７，３８の往復動長さよりも長くしてあり、経路安定板３７，３８は常に嵌合している。
【００２４】
この実施の形態では、第１の経路安定板３７と第２の経路安定板３８との嵌合状態が両経路安定板３７，３８全体の鉛直線周りの回動を防止する。両経路安定板３７，３８全体の鉛直線周りの回動の防止は、耳糸用綜絖１７，１８，２１，２２からの半綜絖１９，２３の外れ防止に寄与する。
【００２５】
次に、図８の第３の実施の形態を説明する。第１の実施の形態と同じ構成部には同じ符号が付してある。
この実施の形態では、第１の耳糸用綜絖３９，４１及び第２の耳糸用綜絖４０，４２の上部側が単一の補助目板４３の目孔４３１に通されている。補助目板４３はブラケット４４を介して目板１６に取り付けられている。
【００２６】
補助目板４３の目孔４３１は各耳糸用綜絖３９〜４２の往復経路を規定し、各耳糸用綜絖３９〜４２の往復経路が安定する。
本発明では、３つ以上のからみ耳形成機構を隣接した実施の形態も可能である。又、織布の織幅の内側でからみ耳を形成する以外に、織布の端部にからみ耳を形成する場合にも本発明を適用できる。この場合、隣接するからみ耳形成機構のうちの内側のからみ耳形成機構のみによってからみ耳を形成すればよい。
【００２７】
【発明の効果】
以上詳述したように本発明では、隣接する複数のからみ耳形成装置の第１の耳糸用綜絖同士の往復経路を第１の経路安定手段によって安定させると共に、隣接する複数のからみ耳形成装置の第２の耳糸用綜絖同士の往復経路を第２の経路安定手段によって安定させるようにしたので、半綜絖を耳糸用綜絖から外れ難くし得るという優れた効果を奏する。
【図面の簡単な説明】
【図１】本発明の第１の実施の形態を示し、要部拡大側断面図を組み込んだ側面図。
【図２】一部省略要部斜視図。
【図３】第２の耳糸用綜絖を上動した状態を示す一部省略要部斜視図。
【図４】第１の耳糸用綜絖を上動した状態を示す一部省略要部斜視図。
【図５】からみ耳形成機構及びからみ耳の平面図。
【図６】第２の実施の形態を示す一部省略側断面図。
【図７】図６のＡ−Ａ線拡大断面図。
【図８】第３の実施の形態を示す一部省略斜視図。
【符号の説明】
１７，２１…第１の耳糸用綜絖、１８，２２…第２の耳糸用綜絖、１９，２３…半綜絖、２０，２４…からみ耳形成機構、２５…第１の経路案内手段となる経路安定板、２６…第２の経路案内手段となる経路安定板、３７，３８…経路安定手段となる経路安定板、４３…補助目板、Ｅ１，Ｅ２，Ｅ３，Ｅ４…耳糸。
【図１】
0003620161.tif 000002
【図２】
0003620161.tif 000003
【図３】
0003620161.tif 000004
【図４】
0003620161.tif 000005
【図５】
0003620161.tif 000006
【図６】
0003620161.tif 000007
【図７】
0003620161.tif 000008
【図８】
0003620161.tif 000009